(57)【要約】      （修正有）【課題】折畳むことが可能であり、全体の体積を減少させることが可能であり、収納及び運搬が容易となる歩行補助装置を提供する。【解決手段】前枠２０と、上端が前枠に枢着され、前枠に対して展開、又は折畳み可能である後枠３０と、前枠と後枠との間に設けられている手摺り枠４０と、前端と、後端と、枢着部位と、を有し、枢着部位は前端と後端との間に設けられ、前枠と後枠とを跨るように設けられ、前端は前枠に枢着され、後端は、後枠に脱着可能に連接されている座り板６０と、前端は座り板の枢着部位に枢着され、後端は後枠に枢着されている少なくとも一つのリンク７０と、を含む。【選択図】図１
0003207478.tif 000002
【実用新案登録請求の範囲】
【請求項１】
前枠と、
上端が前記前枠に枢着されており、前記前枠に対して展開、又は折畳み可能である後枠と、
前記前枠と前記後枠との間に設けられている手摺り枠と、
前端と、後端と、枢着部位と、を有し、前記枢着部位は前記前端と前記後端との間に設けられており、前記前枠と前記後枠とを跨るように設けられており、前記前端は前記前枠に枢着されており、前記後端は、前記後枠に脱着可能に連接されている座り板と、
前端は前記座り板の枢着部位に枢着されており、後端は前記後枠に枢着されている少なくとも一つのリンクと、
を含むことを特徴とする歩行補助装置。
【請求項２】
前記前枠は、二つの前側足と、一つの横ロッドと、を含み、前記横ロッドは、横方向に沿うように前記二つの前側足を連接し、前記座り板の前端は前記横ロッドに枢着されていることを特徴とする、請求項１に記載の歩行補助装置。
【請求項３】
前記後枠は、二つの後側足と、一つの支持ロッドと、を含み、前記支持ロッドは、横方向に沿うように前記二つの後側足を連接し、前記座り板の後端は係合部を有し、前記係合部は、前記支持ロッドに脱着可能に係合されており、前記リンクの後端は前記支持ロッドに枢着されていることを特徴とする、請求項１に記載の歩行補助装置。
【請求項４】
前記手摺り枠は、二つの立設ロッドと、一つの背もたれロッドと、を含み、前記二つの立設ロッドは、前記前枠と前記後枠との間に設けられており、上下動して高さを調整可能であり、前記背もたれロッドは、ほぼＵ字形を呈し、その両端が二つのハンドル端に形成し、前記背もたれロッドは前記二つの立設ロッドの上端に設けられていることを特徴とする、請求項１に記載の歩行補助装置。
【請求項５】
更に、前記前枠と前記後枠との間に設けられている二つの組付け部材を含み、前記前枠の上端は前記二つの組付け部材に固定されており、前記後枠の上端は前記二つの組付け部材に枢着されており、前記手摺り枠は、前記二つの組付け部材に脱着可能に設けられていることを特徴とする、請求項１から４の何れかの１項に記載の歩行補助装置。
【請求項６】
前記座り板の枢着部位は、前記座り板の底面に設けられていることを特徴とする、請求項１から４の何れかの１項に記載の歩行補助装置。
【請求項７】
前記座り板は、更に、枢着部材を含み、前記枢着部材は、前記座り板の前記前端に設けられており、前記前枠に枢着されていることを特徴とする、請求項１から４の何れかの１項に記載の歩行補助装置。
【請求項８】
前記後枠は、更に、支持ロッドを含み、前記座り板の前記係合部は、更に、係合溝を有し、前記係合溝は、前記係合部の底面に設けられており、前記後枠の前記支持ロッドと係合し、又は前記後枠の前記支持ロッドから離脱可能であることを特徴とする、請求項１から４の何れかの１項に記載の歩行補助装置。
【請求項９】
前記手摺り枠は、更に、二つの立設ロッドを含み、前記立設ロッドには、その縦方向に沿う差込穴が多数設けられており、前記二つの組付け部材は、穿孔と、貫通孔と、差込部材と、をそれぞれ有し、前記穿孔は、上下に設けられており、前記貫通孔と連通し、前記手摺り枠の前記二つの立設ロッドは、前記各組付け部材の前記穿孔にそれぞれ差し込み、前記二つの差込部材は、前記各組付け部材の前記貫通孔と前記各立設ロッドの前記差込穴とにそれぞれ差し込んで係合することを特徴とする、請求項５に記載の歩行補助装置。
【考案の詳細な説明】
【技術分野】
【０００１】
本発明は、歩行補助装置に関し、特に、折畳み可能な歩行補助装置に関するものである。
【背景技術】
【０００２】
医薬技術の発展に従って、出生率及び死亡率が徐々に降下するため、わが国のお年寄りの人口の比率が大幅に増加し、高齢化社会は無視できない程度の重大な課題になり、高齢化社会による現象及び問題も著しくなる。例えばお年寄りは、関節の退化及び体力の減衰により、その活動力及び行動の鋭敏度が若者より悪いため、ショッピングや日常の活動（例えば歩行）をするときに、不意に倒れやすい。なお、お年寄りの生理機能の老化により、転倒が酷くなくても、骨折したり、傷口の出血を止めにくく、更に、余病が発生する可能性がある。
【０００３】
上記の問題を解決するために、お年寄り用の歩行補助装置が開発されて市販されている。このような歩行補助装置を利用することにより、お年寄りの歩行が安定してスムーズとなり、お年寄りの歩行が不安定なときに、歩行補助装置により、身体の重心が支持されるため、お年寄りの歩行が再び安定し、転倒などの危険を回避可能であり、お年寄りの歩行の安全性を増加させることが可能である。
【０００４】
しかしながら、従来の歩行補助装置は、体積が大きいため、ユーザが休み、又は睡眠するときに、歩行補助装置を利用しないときにも、歩行補助装置がスペースをかなり占めるため、他人の歩行及び活動を影響する。次に、ユーザが外出する（例えば家族旅行など）ときに、歩行補助装置の体積が大きいため、運搬しにくく、且つ歩行補助装置の重量が重いため、運搬するときに体力がかなり掛かる。このため、従来の歩行補助装置は、収納及び運搬が容易ではない。
【考案の概要】
【考案が解決しようとする課題】
【０００５】
本発明の主な目的は、折畳むことが可能であり、全体の体積を減少させることが可能であり、収納及び運搬が容易となる歩行補助装置を提供することにある。
本発明の次の目的は、折畳みやすい歩行補助装置を提供することにある。
【課題を解決するための手段】
【０００６】
本発明の歩行補助装置によると、
前枠と、
上端が前枠に枢着されており、前枠に対して展開、又は折畳み可能である後枠と、
前枠と後枠との間に設けられている手摺り枠と、
前端と、後端と、枢着部位と、を有し、枢着部位は前端と後端との間に設けられており、前枠と後枠とを跨るように設けられており、前端は前枠に枢着されており、後端は、後枠に脱着可能に連接されている座り板と、
前端は座り板の枢着部位に枢着されており、後端は後枠に枢着されている少なくとも一つのリンクと、
を含むことを特徴とする。
【考案の効果】
【０００７】
本発明の歩行補助装置によれば、座り板の後端を引き上げることにより、座り板の枢着部位に枢着されているリンクが後枠を駆動して前方へ変位し、歩行補助装置を迅速かつ便利に収納可能となり、全体の体積を減少させることが可能であり、収納及び運搬が容易となるという効果を有する。  
【図面の簡単な説明】
【０００８】
【図１】本発明の一実施の形態に係る歩行補助装置の展開状態を示す正面斜視図である。
【図２】図１の歩行補助装置の後方から見た斜視図である。
【図３】図１の歩行補助装置を示す背面図である。
【図４】図１の４-４線の一部の拡大断面図である。
【図５】図１の歩行補助装置を示す側面図である。
【図６】図１の６-６線の一部の拡大断面図である。
【図７】図１の７-７線の断面図である。
【図８】図１の歩行補助装置の折畳み状態を示す正面斜視図である。
【図９】図８の歩行補助装置の後方から見た斜視図である。
【図１０】図８の歩行補助装置を示す側面図である。
【図１１】図９の１１-１１線の断面図である。
【考案を実施するための形態】
【０００９】
以下、本発明の実施の形態を図面に基づいて説明する。
【００１０】
図１から図３を参照すると、本発明の一実施の形態に係る歩行補助装置１０は、前枠２０と、後枠３０と、手摺り枠４０と、二つの組付け部材５０と、座り板６０と、少なくとも一つのリンク７０と、二つの折りロッドユニット８０と、二つの制動機構９０と、を含む。
【００１１】
前枠２０は、二つの前側足２２と、少なくとも一つの横ロッドと、二つの前輪ユニット２６と、を含む。本実施例では、上横ロッド２４と、下横ロッド２５と、を有する。二つの前側足２２は並列するように設けられている。上横ロッド２４と下横ロッド２５とは、横方向に沿うように二つの前側足２２を連接する。上横ロッド２４は、下横ロッド２５の上方に位置する。各前輪ユニット２６は、輪枠２７と、少なくとも一つの前輪２９と、を含む。輪枠２７は、前側足２２の底端に枢着されており、回転可能である。各前輪ユニット２６は、一つの前輪２９、又は並列する二つの前輪２９を有する。本実施の形態では、各前輪ユニット２６は一つの前輪２９を有し、前輪２９は輪枠２７に枢着されている。
【００１２】
後枠３０は、二つの後側足３２と、一つの支持ロッド３４と、並列する二つの後輪３６と、を含む。支持ロッド３４は、横方向に沿うように二つの後側足３２を連接する。後輪３６は後側足３２の底端に枢着されている。後枠３０は前枠２０の後側に設けられている。
【００１３】
手摺り枠４０は、二つの立設ロッド４３と、一つの背もたれロッド４６と、を含む。二つの立設ロッド４３は互いに平行する。立設ロッド４３には、その縦方向に沿う差込穴４４が多数設けられている。二つの立設ロッド４３は、前枠２０の各前側足２２と後枠３０の各後側足３２との間に設けられている。背もたれロッド４６は、ほぼＵ字形を呈し、その両端が二つのハンドル端４８を形成する。背もたれロッド４６は二つの立設ロッド４３の上端に設けられている。
【００１４】
図１、図５及び図６を参照する。組付け部材５０は、穿孔５２と、貫通孔５４と、を有する。穿孔５２は貫通孔５４と連通する。二つの組付け部材５０は、前枠２０と後枠３０との左右側にそれぞれ位置し、前枠２０及び後枠３０と手摺り枠４０との間に設けられている。前枠２０の二つの前側足２２の上端は、各組付け部材５０にそれぞれ固定されている。後枠３０の二つの後側足３２の上端は、各組付け部材５０にそれぞれ枢着されており、当該枢着箇所を中心として、二つの後側足３２を前枠２０の二つの前側足２２に相対的に近接し、又は離れ可能である。手摺り枠４０の二つの立設ロッド４３は、各組付け部材５０の穿孔５２にそれぞれ差し込み、穿孔５２の中に変位することにより、手摺り枠４０の高さを調整可能である。二つの差込部材５６は、ピン、螺子または弾性付きファスナーであり、各組付け部材５０の貫通孔５４と各立設ロッド４３の差込穴４４とにそれぞれ差し込み、又は係合可能である。これにより、二つの立設ロッド４３は二つの組付け部材５０に固定されており、手摺り枠４０の高さを固定可能である。
【００１５】
図３から図５を参照する。座り板６０は、滑り止め面６１と、前端と、後端と、枢着部位６６と、を有する。滑り止め面６１は座り板６０の上面に設けられている。枢着部位６６は、座り板６０の底面に設けられており、座り板６０の前端と後端との間に位置する。座り板６０は、前枠２０の上横ロッド２４と後枠３０の支持ロッド３４とを跨るように設けられている。座り板６０の前端は、枢着部材６２を介して、前枠２０の上横ロッド２４に枢着されている。座り板６０の後端は係合部６４を有する。係合部６４の底面に係合溝６５が設けられている。係合部６４の係合溝６５により、座り板６０は、後枠３０の支持ロッド３４と係合し、又は支持ロッド３４から離脱可能である。
【００１６】
図３及び図５を参照すると、本実施の形態では、リンク７０が二つある。二つのリンク７０は、互いに平行し、その前端が座り板６０の枢着部位６６に枢着されており、その後端が後枠３０の支持ロッド３４に枢着されている。座り板６０の後端を引き上げると、二つのリンク７０が後枠３０を駆動して前枠２０へ変位する。
【００１７】
二つの折りロッドユニット８０は、第１折りロッド８２と、第２折りロッド８４と、止め部材８６と、をそれぞれ有する。第１折りロッド８２の裏端は、第２折りロッド８４の裏端に枢着されている。第１折りロッド８２の外端は、前枠２０の前側足２２に枢着されている。第２折りロッド８４の外端は、後枠３０の後側足３２に枢着されている。止め部材８６は第１折りロッド８２の裏端に設けられている。各折りロッドユニット８０を展開するときには、止め部材８６が第２折りロッド８４をストップする。
【００１８】
二つの制動機構９０は、制動ハンドル９２と、制動ワイヤ９４と、制動部材９６と、をそれぞれ有する。制動ハンドル９２は、手摺り枠４０のハンドル端４８に組み付けられている。制動部材９６は、後枠３０の後側足３２の下端に組み付けられており、後輪３６を圧迫し、又は後輪３６から離脱可能である。制動ワイヤ９４は、制動ハンドル９２と制動部材９６とに連接されている。これにより、制動ハンドル９２は、制動部材９６を制御して、後輪３６を圧迫し、又は後輪３６から離脱可能である。制動機構は、本発明の研究開発の重点ではないため、説明を省略する。
【００１９】
図５を参照すると、ユーザは、本発明に係る歩行補助装置１０を利用する前に、自分の身長によって手摺り枠４０の高さを調整することにより、手摺り枠４０の二つのハンドル端４８を容易に握ることが可能である。ユーザは、本発明に係る歩行補助装置１０を利用して歩行したいときに、両手が手摺り枠４０の二つのハンドル端４８をそれぞれ握ることにより、歩行補助装置１０がユーザの身体の重心を支持する。そしてユーザが歩行しているときには、前輪２９と後輪３６とがユーザの歩行速度に合わせて回転し、前輪２９がユーザの歩行方向に合わせて転向する。これにより、本発明に係る歩行補助装置１０を利用することにより、ユーザは楽に歩行可能である。二つの制動機構９０により、ユーザは二つの後輪３６を減速して、歩行補助装置１０の速度を降下可能である。これにより、歩行補助装置１０の安全性を増加させることが可能である。
【００２０】
休みたいときに、ユーザは、歩行補助装置１０の座り板６０に座って、背部を背もたれロッド４６に当接可能である。座り板６０の上面は滑り止め面６１であるため、ユーザが座り板６０から滑って倒れることを防止することができる。背もたれロッド４６がＵ字形を呈するため、ユーザが座り板６０の左右側から倒れることを防止することができる。
【００２１】
図５及び図７を参照すると、歩行補助装置１０を利用した後、歩行補助装置１０を収納し、又は運搬したいときには、座り板６０の後端を引き上げることにより、係合部６４の係合溝６５が後枠３０の支持ロッド３４から離脱して、座り板６０の後端が上げられて、座り板６０の枢着部位６６に枢着されている二つのリンク７０が座り板６０と共に旋回して、後枠３０が駆動されて前枠２０へ変位して、折りロッドユニット８０の第１折りロッド８２と第２折りロッド８２とが折畳まれる。図８から図１１を参照すると、二つの後側足３２が二つの前輪２９に当接するときに、前枠２０と後枠３０との間の距離が最も小さいため、歩行補助装置１０を最小の体積に折畳み可能であり、歩行補助装置１０の占めスペースを減少させることが可能である。
【００２２】
図１１を参照すると、歩行補助装置１０を再び利用したいときには、座り板６０の後端を押し下げることにより、二つのリンク７０が後枠３０と共に後方へ変位して、後枠３０が前枠２０から離れると同時に、折りロッドユニット８０の第１折りロッド８２と第２折りロッド８２とが互いに離れて展開する。座り板６０の係合溝６５を後枠３０の支持ロッド３４と係合すると、歩行補助装置１０が展開状態にあり、ユーザは歩行補助装置１０を利用して歩行を補助可能である。
【００２３】
本発明に係る歩行補助装置によれば、ユーザは自分の身長によってハンドルの高さを調整可能であり、行進時に、二つの前輪がユーザの歩行方向に合わせて転向可能であり、速度が速すぎるときに、二つの制動機構により減速可能であるため、ユーザは、歩行補助装置を容易に利用して歩行可能であり、歩行の安全性を確保可能である。また、本発明に係る歩行補助装置によれば、座り板の後端を引き上げ、又は押し下げることにより、歩行補助装置の展開及び折畳みを迅速で簡単に完成させることができる。そして、本発明に係る歩行補助装置を折畳むことにより、歩行補助装置の全体の体積を減少させることが可能であり、占めスペースを減少させることが可能であり、より小さい力で歩行補助装置を運搬可能であり、運搬が便利となる。
【産業上の利用可能性】
【００２４】
本発明は、歩行補助装置に適用することができる。
【符号の説明】
【００２５】
１０  歩行補助装置
２０  前枠
２２  前側足
２４  上横ロッド
２５  下横ロッド
２６  前輪ユニット
２７  輪枠
３０  後枠
３２  後側足
３４  支持ロッド
３６  後輪
４０  手摺り枠
４３  立設ロッド
４４  差込穴
４６  背もたれロッド
４８  ハンドル端
５０  組付け部材
５２  穿孔
５４  貫通孔
５６  差込部材
６０  座り板
６２  枢着部材
６４  係合部
６５  係合溝
６６  枢着部位
７０  リンク
８０  折りロッドユニット
８２  第１折りロッド８２
８４  第２折りロッド
８６  止め部材
９０  制動機構
９２  制動ハンドル
９４  制動ワイヤ
９６  制動部材
【図１】
0003207478.tif 000003
【図２】
0003207478.tif 000004
【図３】
0003207478.tif 000005
【図４】
0003207478.tif 000006
【図５】
0003207478.tif 000007
【図６】
0003207478.tif 000008
【図７】
0003207478.tif 000009
【図８】
0003207478.tif 000010
【図９】
0003207478.tif 000011
【図１０】
0003207478.tif 000012
【図１１】
0003207478.tif 000013